(57)【要約】      （修正有）【課題】就寝時に頚椎および腰椎にかかる負担を軽減できる枕を提供する。【解決手段】底面１０が床に載置される面となり、底面１０に対して約３０°傾斜して体載置面１２がある。体載置面１２は、例えば、平面である。奥ゆきＡが約８００ｍｍあることから、使用者がその骨盤の上の腰椎および頚椎を伸ばした状態で仰向けに横たわることができる。そのため、頚椎および腰椎にかかる負担を軽減できる。【選択図】図１
0003145217.tif 000002
【実用新案登録請求の範囲】
【請求項１】
仰向けに横たわる人体の腰部周辺から頭部を足部に対して５〜４０°の範囲で上向きに傾斜させるように支持する傾斜面を有し、
少なくとも前記傾斜面を形成する部分が低反発素材を用いて形成されている
枕。
【請求項２】
前記枕は断面が略直角三角形あるいは略台形であり、
床に載置される面の前記人体の長手方向に沿った長さが、約４００〜１０００ｍｍである
請求項１に記載の枕。
【請求項３】
断面略三角形状あるいは略台形の枕であって、
床に載置される床載置面と、
仰向けに横たわる人体の腰部周辺から頭部を支持するように、前記床載置面に対して傾斜した人体載置面と
を有し、
前記人体載置面は、前記床載置面に対して、５〜４０°の範囲で傾斜している
枕。
【請求項４】
前記床載置面の前記床載置面に対して傾斜する方向の長さが約６００〜１０００ｍｍである
請求項３に記載の枕。
【請求項５】
前記人体載置面と前記床載置面との間の角度を調整可能な機構
をさらに有する請求項３または請求項４に記載の枕。
【請求項６】
低反発素材を用いて構成された
請求項３〜５のいずれかに記載の枕。
【請求項７】
前記体載置面側に低反発素材を充填し、前記床載置面側に高反発素材を充填した
請求項３〜６のいずれかに記載の枕。
【請求項８】
断面略三角形状あるいは略台形の第１の枕と、
断面略三角形状あるいは略台形の前記第１の枕に重ねられる第２の枕と
を有し、
前記第1の枕は、
床に載置される床載置面と、
仰向けに横たわる人体の腰部周辺から頭部を支持するように、前記床載置面に対して５〜４０°の範囲で傾斜した第１の人体載置面と
を有し、
前記第２の枕は、
前記第１の枕の前記第１の人体載置面に着脱可能な状態で載置される枕載置面と、
仰向けに横たわる人体の腰部周辺から頭部を支持するように、前記枕載置面に対して５〜４０°の範囲で傾斜した第２の人体載置面と
を有する
枕セット。
【考案の詳細な説明】
【技術分野】
【０００１】
本考案は、睡眠時における頚椎および骨髄への負担を小さくし、健康によい枕および枕セットに関する。
【背景技術】
【０００２】
枕は、人が寝ている時に頭部を少し高い位置に保ち頭部の血圧を下げる役割がある。
従来の通常の枕は、頭部のみを約１０ｃｍの高さに上げるものであり、枕使用時には首部は湾曲した状態になる。
枕は、上述したように頭部のみを支えるものの他、図１５に示すように、頭部、首の背面および上肩部付近を支えるものがある。
このように首の背面および上肩部付近を支えることで、頭部のみを支える枕に比べて、寝ている時に首が曲がる角度を小さくでき、首付近にある頚椎への負担を軽減できる。
【考案の開示】
【考案が解決しようとする課題】
【０００３】
しかし、上述した従来の枕では、首付近にある頚椎への負担は軽減できるが、頭部および肩部を高い位置に置いたことにより、腰部の上側の腰椎内の脊髄が腹方向に折れ曲がってしまう。
このように脊髄が腹方向に折れ曲がると、腰痛の原因となる。
ここで、腰椎は、骨盤の上に5つ並んだ椎骨と椎間板のことで、身体を支え、脊髄（神経）を保護する重要な役割を果たす。そのため、腰椎に負担がかかる生活を続けていると「腰椎椎間板ヘルニア」などの疾病を発症する可能性が高まる。
このように従来の枕では、頭痛、肩こり、手足のしびれ、腰痛などを誘発すると共に、快適な眠りを妨げるという問題がある。このような問題は、高齢者や脳疾患者などの脳内圧を不安定にし、高血圧、低血圧、うっ血などの原因となる。さらには、美容上の問題もある。
【０００４】
本考案は、上述した従来技術の問題点に鑑みてなされ、就寝時における頚椎および腰椎内の脊髄にかかる負担を軽減できる枕および枕セットを提供することを目的とする。
【課題を解決するための手段】
【０００５】
上述した従来技術の問題点を解決し、上述した目的を達成するため、本考案の枕は、仰向けに横たわる人体の腰部周辺から頭部を足部に対して５〜４０°の範囲で上向きに傾斜させるように支持する傾斜面を有し、少なくとも前記傾斜面を形成する部分が低反発素材を用いて形成されている。
好適には、本考案の枕は、前記枕は断面が略直角三角形あるいは略台形であり、床に載置される面の前記人体の長手方向に沿った長さが、約４００〜１０００ｍｍである。
【０００６】
また、本考案の枕は、断面略三角形状あるいは略台形の枕であって、床に載置される床載置面と、仰向けに横たわる人体の腰部周辺から頭部を支持するように、前記床載置面に対して傾斜した人体載置面とを有する。ここで、前記人体載置面は、前記床載置面に対して、５〜４０°の範囲で傾斜している。
本考案の枕では、従来のように頭部のみを高くするのではなく、床載置面に対して５〜４０°の範囲で傾斜した人体載置面によって、仰向けに横たわる人体の腰部周辺から頭部を支持する。
すなわち、使用者の腰周辺を支持する箇所から傾斜している。
そのため、使用者の首部周辺の支持位置に段差を持たせなくても、頭部を高い位置に保持できる。これにより、使用者が枕に仰向けに横たわった状態で、頚椎を湾曲させずにまっすぐ保持しても、その使用者の頭部を他の部分より高い位置におくことができ、頚椎にかかる負担を軽減できる。よって、頭痛・肩こり防止の効果が図れる。
なお、このように頭を高い位置に保持することで、頭部の血圧が高まることを抑制し、障害が生じることを抑制できる。
【０００７】
また、本考案の枕は、上記構成により、使用者の腰部周辺の支持位置に段差がなく、腰部周辺が湾曲しない。これにより、使用者が枕に仰向けに横たわった状態で、腰椎内の骨髄を湾曲させずにまっすぐ保持しても、その使用者の頭部を他の部分より高い位置におくことができ、骨髄にかかる負担を軽減できる。よって、腰痛防止の効果が図れる。
【０００８】
また、好適には、本考案の枕は、前記床載置面の前記床載置面に対して傾斜する方向の長さが約４００〜１０００ｍｍである。
【０００９】
また、好適には、本考案の枕は、前記人体載置面と前記床載置面との間の角度を調整可能な機構をさらに有する。
【００１０】
本考案の枕セットは、断面略三角形状あるいは略台形の第１の枕と、断面略三角形状あるいは略台形の前記第１の枕に重ねられる第２の枕とを有する。
ここで、前記第1の枕は、床に載置される床載置面と、仰向けに横たわる人体の腰部周辺から頭部を支持するように、前記床載置面に対して５〜４０°の範囲で傾斜した第１の人体載置面とを有する。
また、前記第２の枕は、前記第１の枕の前記第１の人体載置面に着脱可能な状態で載置される枕載置面と、仰向けに横たわる人体の腰部周辺から頭部を支持するように、前記枕載置面に対して５〜４０°の範囲で傾斜した第２の人体載置面とを有する。
このように２つの枕を用いることで、就寝時と、それ以外のテレビ等を見る時との各々においてユーザが最適な姿勢を保つことができる。
【考案の効果】
【００１１】
本考案によれば、就寝時における頚椎および腰椎にかかる負担を軽減できる枕および枕セットを提供することができる。
【考案を実施するための最良の形態】
【００１２】
以下、本考案の実施形態に係る枕を、図面を参照しながら説明する。
＜第１実施形態＞
図１は、本考案の第１実施形態の枕１の構成図である。図１（Ａ）は側面図、図１（Ｂ）は平面図、図１（Ｃ）は背面図である。
【００１３】
図１（Ａ）に示すように、枕１は、側面が三角形状で、奥ゆきＡが約９００ｍｍである。奥ゆきＡは、使用者３の腰部周辺から頭部を支持できるものであれば、例えば、約４００〜１０００ｍｍの範囲で任意に選択可能である。
また、底面１０が床に載置される面となり、底面１０に対して体載置面１２は角度θだけ傾斜している。
【００１４】
角度θは、例えば、５〜４０°であり、頚椎および腰椎にかかる負担が小さいとうい観点から、約１２°が好ましい。
体載置面１２は、例えば、平面である。
枕１は、上述したように、奥ゆきＡが約９００ｍｍであることから、図５に示すように、使用者３がその骨盤の上の腰椎および頚椎を伸ばした状態で仰向けに横たわることができる。
枕１のサイズは、例えば、図２、図３および図４に示すように大、中、小の３つを用意する。
【００１５】
枕１の素材としては、例えば、ウレタンが用いられる。なお、枕１の素材としては、通常のウレタンの他に、低反発素材としての低反発ウレタン等を用いてもよい。
【００１６】
低反発ウレタンは、ゆっくり沈んで、ゆっくりもどる性質を持ち、理想的にカラダを包み込む。体圧分散効果に優れているので、医療用や介護用としても使われている。
低反発ウレタンとしては、例えば、軟質ウレタンフォーム、半硬質ウレタンフォームおよび硬質ウレタンフォームなどがある。
【００１７】
低反発素材の反発度は、適宜選択される。例えば、比較的反発度が高い素材を用いた場合には、図６に示すように使用者３が横たわった場合に、その体の沈み込み度合いは小さい。
一方、比較的反発度が低い素材を用いた場合には、図７に示すように使用者３が横たわった場合に、その体の沈み込み度合いは大きい。
【００１８】
また、枕１は、複数種類の素材を組み合わせて用いてもよい。さらに、枕１の内部を複数の領域に分け、複数の領域が異なる素材を用いてもよい。
【００１９】
本実施形態の枕１によれば、使用者３の腰周辺を支持する箇所から傾斜している。
そのため、使用者３の首部周辺の支持位置に段差を持たせなくても、頭部を高い位置に保持できる。これにより、使用者３が枕に仰向けに横たわった状態で、頚椎を湾曲させずにまっすぐ保持しても、その使用者３の頭部を他の部分より高い位置におくことができ、頚椎にかかる負担を軽減できる。よって、頭痛・肩こり防止の効果が図れる。
なお、このように頭を高い位置に保持することで、頭部の血圧が高まることを抑制し、障害が生じることを抑制できる。
すなわち、枕１によれば、頭痛、肩こり、手足のしびれ、腰痛などを防止し、快適な眠りを提供できる。これにより、高齢者や脳疾患者などの脳内圧を安定にし、高血圧、低血圧、うっ血などを防止できる。さらには、美容にもよい
また、枕１によれば、上記構成により、使用者３の腰部周辺の支持位置に段差がなく、腰部周辺が湾曲しない。これにより、使用者３が枕に仰向けに横たわった状態で、腰椎内の骨髄を湾曲させずにまっすぐ保持しても、その使用者３の頭部を他の部分より高い位置におくことができ、骨髄にかかる負担を軽減できる。よって、腰痛防止の効果が図れる。
【００２０】
＜第１実施形態の変形例＞
図１に示す枕１は、例えば、図８に示すように、体載置面１２側に低反発素材５０を充填し、底面１０側に高反発素材６０を充填してもよい。
このようにすることで、使用者３が体載置面１２に横たわった状態で、高反発素材６０によって傾斜角をある程度保持した状態で、低反発素材５０によって使用者３の体形に沿って凹凸を形成でき、使用者３の体の特定箇所に大きな力が加わることを回避できる。これにより、第１実施形態で説明した枕１の効果をさらに高めることができる。
また、高反発素材６０としては、例えば、発泡スチロール等の安価な素材を使用することが可能になり、枕１の製造コストを下げることができる。
図８に示すように、断面の形状の高さに関し、低反発素材５０の高さが高反発素材６０の高さの約半分になる領域に配置される。
【００２１】
＜第２実施形態＞
本実施形態では、上述した第１実施形態の枕１の上に、他の枕３１を重ね合わせる場合を説明する。
図９は、本考案の第２実施形態の構成図である。図９（Ａ）は側面図、図９（Ｂ）は平面図、図９（Ｃ）は背面図である。
【００２２】
図９Ａに示すように、枕３１は、枕１と同様に、側面が三角形状である。
枕３１の底面３０が枕１の体載置面１２に重ね合わされる面となる。
枕３１の底面３０に対して約３０°傾斜して体載置面３２がある。底面３０と体載置面３２との間の角度は、１０〜４０°であれば特に限定されない。
体載置面３２は、例えば、平面である。
図９に示す例では、枕３１は、枕３１の上に重ねた状態で側面３５が、枕１の側面１５と一体的になる形状を有している。
【００２３】
枕１の体載置面１２と枕３１の底面３０とは、それぞれ滑りにくい表面になっており、重ね合わせた状態で、容易にはずれないようになっている。
また、体載置面１２と底面３０の一部の領域に面ファスナー（マジックテープ（商標））などを設けてもよい。
【００２４】
なお、枕１と枕３１は個別に販売されてもよいし、セットとして販売されてもよい。
【００２５】
本実施形態では、就寝時には枕１のみを用い、それ以外の本を読んだりテレビを見たりするときに枕１に枕３１を重ね合わせて用いる。
これにより、それぞれの場合において、使用者３が適切な姿勢をとりながら、その骨盤の上の腰椎および頚椎を伸ばした状態にでき、頚椎および腰椎にかかる負担を軽減できる。
すなわち、第１実施形態と同様に、使用者３の腰椎および頚椎を伸ばした状態にできることで、頚椎および腰椎にかかる負担を軽減できる。そのため、頭痛、首痛、肩こり、腰痛等に効果がある。
【００２６】
＜第３実施形態＞
図１１は、本考案の第３実施形態の構成図である。
図１１に示すように、本実施形態では、２つの枕１を重ね合わせる。
これにより、第２実施形態と同様の効果が得られる。
【００２７】
また、上述した第２および第３実施形態では、枕を２段に重ねる場合を例示したが、３段以上で重ねてもよい。
【００２８】
＜第４実施形態＞
図１２は、本考案の第４実施形態の構成図である。
上述した実施形態では複数の枕を重ねることで体載置面の傾きを調整する場合を例示したが、本実施形態では、図１２に示すように、底面１０と体載置面１２との角度を調整可能な構成を有している。
【００２９】
図１２に示すように、底面１０と体載置面１２とが蝶番８０などで角度θを調整可能に結合されている。
また、体載置面１２は、例えば、底面１０上に置かれた支持台８２によって所定の角度θの位置に姿勢が保たれる。
そして、支持台８２の位置を調整することによって、角度θを調整できる。
【００３０】
第４実施形態の枕によれば、底面１０と体載置面１２との間の角度θを調整できるため、複数の枕を用意する必要がない。
なお、図１２に示す例では、底面１０と体載置面１２との間の角度θを蝶番８０によって可変にする場合を例示したが、蝶番以外の機構によって可変にしてもよい。
【００３１】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００３２】
上述した実施形態では、枕１の体載置面１２および枕３１の体載置面３２として平坦な面を用いた場合を例示したが、これらの面は凹凸を有していてもよい。
また、首の背面を支持する凸部や、腰の凹部を支持する凸部を有していてもよい。
【００３３】
また、上述した実施形態において、各枕の各辺の寸法は一例であり、一般的な仰向けに横たわる使用者の腰部周辺から頭部を支持できるものであれば特に限定されない。
また、図１３および図１４に示すように、体載置面と床載置面との間に約２０ｍｍの段差を設けてもよい。すなわち、断面略台形にしてもよい。
【００３４】
以上説明したように、上述した全ての実施形態の枕および枕セットによれば、、就寝時などで、頭部を高い位置に保ちながら、使用者３の腰椎および頚椎を伸ばした状態にできる。そのため、使用者３の頚椎および腰椎にかかる負担を軽減でき、頭痛、首痛、肩こり、腰痛等に効果がある。
【産業上の利用可能性】
【００３５】
本考案は、例えば、就寝時に用いられる枕に適用可能である。
【図面の簡単な説明】
【００３６】
【図１】図１は、本考案の第１実施形態の枕の構成図である。図１（Ａ）は側面図、図１（Ｂ）は平面図、図１（Ｃ）は背面図である。
【図２】図２は、図１に示す枕の寸法例を説明するための図である。
【図３】図３は、図１に示す枕の寸法例を説明するための図である。
【図４】図４は、図１に示す枕の寸法例を説明するための図である。
【図５】図５は、図１に示す枕の使用時における側面方向の図である。
【図６】図６は、比較的反発度が高い素材を用いた場合の図５に示す側面方向の図である。
【図７】図７は、比較的反発度が低い素材を用いた場合の図５に示す側面方向の図である。
【図８】図８は、本考案の第１実施形態の枕の変形例を説明するための図である。
【図９】図９は、本考案の第２実施形態の枕の構成図である。図９（Ａ）は側面図、図９（Ｂ）は平面図、図９（Ｃ）は背面図である。
【図１０】図１０は、図９に示す枕の使用時における側面方向の図である。
【図１１】図１１は、本考案の第３実施形態の構成図である。
【図１２】図１２は、本考案の第４実施形態の構成図である。
【図１３】図１３は、本考案のその他の実施形態の構成図である。
【図１４】図１４は、本考案のその他の実施形態の構成図である。
【図１５】図１５は、従来技術を説明するための図である。
【符号の説明】
【００３７】
１…枕
３…使用者
１０…底面
１２…体載置面
１５…側面
３０…底面
３２…体載置面
３５…側面
８０…蝶番
８２…支持台
【図１】
0003145217.tif 000003
【図２】
0003145217.tif 000004
【図３】
0003145217.tif 000005
【図４】
0003145217.tif 000006
【図５】
0003145217.tif 000007
【図６】
0003145217.tif 000008
【図７】
0003145217.tif 000009
【図８】
0003145217.tif 000010
【図９】
0003145217.tif 000011
【図１０】
0003145217.tif 000012
【図１１】
0003145217.tif 000013
【図１２】
0003145217.tif 000014
【図１３】
0003145217.tif 000015
【図１４】
0003145217.tif 000016
【図１５】
0003145217.tif 000017